【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
一般式（Ｉ）又は（II）：
【化１】
2004533504.tif 000001
｛式中、ｎ及びｎ′は、０〜４の値を示し、
ｍ及びｍ′は、１〜８の値を示し、
ｍ＋ｎの合計及びｍ′＋ｎ′の合計は、８以下であり、
ｚは、１〜５、特に１の整数であり、
Ａは、１−アミノアントラキノン、アントラキノン、アントラピリミジン、アゾ、アゾメチン、ベンゾジフラノン、キナクリドン、キナクリドンキノン、キノフタロン、ジケトピロロピロール、ジオキサジン、フラバントロン、インダントロン、インジゴ、イソインドリン、イソインドリノン、イソビオラントロン、ペリノン、ペリレン、フタロシアニン、ピラントロン又はチオインジゴのシリーズの発色団の基であり、
Ａ′は、１−アミノアントラキノンのような１個以上の第一級アミノ基をすでに含有している発色団の基であるか、又はＡ′は、１〜８個、好ましくは１〜４個のアミノ基で変性されている、Ａで示された発色団の基のうちの１個であり、
Ｃａｔは、アルカリ金属カチオン又はアンモニウムカチオンであり、
Ｂ及びＢ′は、相互に独立して、分岐鎖状若しくは直鎖状Ｃ1〜8アルキル、Ｃ2〜8アルケニル、Ｃ2〜8アルキニル、アリール、Ｎ−、Ｏ−若しくはＳ−含有５員又は６員複素環、Ｃ1〜8アルキルアリーレン、アリール−Ｃ1〜8アルキレン又はアリール−Ｌ−アリーレン基〔これらは、１個以上の基−ＯＨ、−ＯＣａｔ、−ＳＨ、−ＳＣａｔ、−ＯＲ1、−ＳＲ2、−Ｃ（Ｏ）ＯＲ3、−Ｃ（Ｏ）Ｒ4及び／又は−ＮＲ5Ｒ6で置換されていてよく、ここで、Ｃ1〜8アルキル基は、非中断であるか又は−Ｏ−若しくは−Ｓ−により１回以上中断されていることができ、
Ｒ1、Ｒ2、Ｒ3及びＲ4は、相互に独立して、Ｃ1〜8アルキル基、Ｃ7〜11アラルキル基又はＣ6〜12アリール基であり、Ｒ4は、更に水素原子であることができ、
Ｌは、結合、−ＮＲ7（ここで、Ｒ7は、水素原子又はＣ1〜4アルキル基）又は−Ｎ＝Ｎ−基であり、Ｒ5及びＲ6は、相互に独立して、水素原子、Ｃ1〜8アルキル基、Ｃ1〜4アルコキシ−Ｃ1〜4アルキル基、Ｃ6〜12アリール基、Ｃ7〜11アラルキル基又は基−（ＣＨ2）oＯＨ（ここで、ｏは、２〜６の整数である）である〕であり、Ｂは、更に水素原子であることができ、
Ｂ及びＢ′は、発色団Ａ又はＡ′内で、異なる置換基の意味を有することが可能である｝で示される着色剤。
【請求項２】
式（Ｘ）、（Xa）又は（XI）：
【化３】
2004533504.tif 000002
2004533504.tif 000003
（式中、Ｘ1は、下記式：
【化４】
2004533504.tif 000004
の基であり、そしてｍは、１〜４、特に２〜３の値を示す）で示される１−アミノアントラキノン又はアントラキノン誘導体であるか、
式（XII）：
【化５】
2004533504.tif 000005
（式中、Ｒ11及びＲ12は、相互に独立して、水素、ハロゲン、Ｃ1〜Ｃ24アルキル、Ｃ1〜Ｃ6アルコキシ又はフェニルであり、そしてｍは、１〜４、特に２〜３の値を示す）で示されるキナクリドン誘導体であるか、
式（XIII）：
【化６】
2004533504.tif 000006
〔式中、Ａｒ1及びＡｒ2は、相互に独立して、下記式：
【化７】
2004533504.tif 000007
（式中、Ｔは、−ＣＨ2−、−ＣＨ（ＣＨ3）−、−Ｃ（ＣＨ3）2−、−ＣＨ＝Ｎ−、−Ｎ＝Ｎ−、−Ｏ−、−Ｓ−、−ＳＯ−、−ＳＯ2−又は−ＮＲ13−（ここで、Ｒ13は、水素又はＣ1〜6アルキル、特にメチル若しくはエチルであり、そしてｍは、１〜４、特に２〜３の値を示す）の基である〕で示されるピロロ〔３，４−ｃ〕ピロール誘導体であるか、
式（XIV）、（XVa）又は（XVb）：
【化８】
2004533504.tif 000008
2004533504.tif 000009
（式中、Ｘ2は、Ｃ1〜4アルコキシ基、特にエトキシであり、Ｘ3は、Ｃ1〜4アシルアミノ基、特にアセチルアミノ基又はベンゾイルアミノ基であり、Ｘ4は、塩素原子又は基ＮＨＣ（Ｏ）ＣＨ3であり、Ｘ7は、水素原子、Ｃ1〜8アルキル基、置換又は非置換フェニル、ベンジル、ベンズアニリド若しくはナフチル基、Ｃ5〜7シクロアルキル基又は下記式：
【化９】
2004533504.tif 000010
の基であり、Ｘ8は、水素原子又はＣ1〜4アルキル基であり、そしてｍは、１〜４の値を示す）で示されるジオキサジン誘導体であるか、
式（XVI）：
【化１０】
2004533504.tif 000011
（式中、ｍは、１〜４、特に２〜３の値を示す）で示されるフラバントロン誘導体であるか、
式（XVII）：
【化１１】
2004533504.tif 000012
（式中、Ｘ5は、水素又は塩素原子であり、そしてｍは、１〜４、好ましくは２〜３の値を示す）で示されるインダントロン誘導体であるか、
式（XVIII）：
【化１２】
2004533504.tif 000013
（式中、Ｒ14は、水素、ＣＮ、Ｃ1〜6アルキル、Ｃ1〜6アルコキシ又はハロゲンであり、そしてｍは、１〜３の値を示す）で示されるインジゴ誘導体であるか、
式（XIX）：
【化１３】
2004533504.tif 000014
（式中、ｍは、１〜４の値を示す）で示されるイソビオラントロン誘導体であるか、
式（XX）及び／又は（XXI）：
【化１４】
2004533504.tif 000015
（式中、ｍは、１〜４の値を意味する）で示されるペリノン誘導体であるか、
式（XXII）：
【化１５】
2004533504.tif 000016
〔式中、Ｘ6は、Ｏ又はＮＲ15（ここで、Ｒ15は、Ｈ、ＣＨ3あるいは非置換若しくは置換フェニル又はＣ7〜11アラルキル、例えば、ベンジル又は２−フェニルエチルである）であり、そしてｍは、１〜４、特に２〜３の値を示す（ここで、フェニル環は、メチル、メトキシ、エトキシ又は−Ｎ＝Ｎ−Ｐｈで置換されることが可能である）〕で示されるペリレン誘導体であるか、
式（XXIII）：
【化１６】
2004533504.tif 000017
（式中、Ｍは、Ｈ2、Ｃｕ（ＩＩ）、Ｚｎ（ＩＩ）、Ｆｅ（ＩＩ）、Ｎｉ（ＩＩ）、Ｒｕ（ＩＩ）、Ｒｈ（ＩＩ）、Ｐｄ（ＩＩ）、Ｐｔ（ＩＩ）、Ｍｎ（ＩＩ）、Ｍｇ（ＩＩ）、Ｂｅ（ＩＩ）、Ｃａ（ＩＩ）、Ｂａ（ＩＩ）、Ｃｄ（ＩＩ）、Ｈｇ（ＩＩ）、Ｓｎ（ＩＩ）、Ｃｏ（ＩＩ）及びＰｂ（ＩＩ）の群から選択される二価金属又はＶ（Ｏ）、Ｍｎ（Ｏ）及びＴｉＯの群から選択される二価オキソ金属であり、そしてｍは、２〜６、特に３〜５の値を示す）で示されるフタロシアニン誘導体であるか、
式（XXIV）：
【化１７】
2004533504.tif 000018
で示されるピラントロン誘導体、あるいは基本構造をブロモ−、クロロ−、又はブロモ及びクロロ−ハロゲン化した誘導体、例えば、２，１０−ジクロロ、４，６−又は６，１４−ジブロモ誘導体（ここで、ｍは、２〜４の値を示す）であるか、
式（XXV）：
【化１８】
2004533504.tif 000019
（式中、Ｒ16は、水素、ＣＮ、Ｃ1〜6アルキル、特にメチル、Ｃ1〜6アルコキシ、特にメトキシ又はハロゲン、特に塩素であり、そしてｍは、１〜３の値を示す）で示されるチオインジゴ誘導体であるか、
式（XXVIa）：
【化１９】
2004533504.tif 000020
（式中、ｍは、１〜４の値を示す）で示されるモノアゾイエロー及びオレンジ誘導体であるか、
式（XXVIb）：
【化２０】
2004533504.tif 000021
（式中、ｍは、２〜４の値を示す）で示されるジアリールイエロー顔料誘導体であるか、
式（XXVIc）：
【化２１】
2004533504.tif 000022
（式中、ｍは、２〜６の値を示し、
Ｒ17〜Ｒ21は、相互に独立して、水素原子、ハロゲン原子、Ｃ1〜6アルキル、Ｃ1〜6アルコキシ、ニトロ基又はアセチル基であり、そして
Ｒ22は、水素原子、ハロゲン原子、Ｃ1〜6アルキル又はＣ1〜6アルコキシである）で示されるナフトールＡＳ顔料誘導体であるか、
式（XXVII）：
【化２２】
2004533504.tif 000023
（式中、Ｒ23は、水素、ハロゲン、Ｃ1〜4アルキル、Ｃ1〜4アルコキシカルボニル、Ｃ1〜4アルキルカルボニル又はＣ1〜4アルカノイルアミノである）で示されるモノアゾキノロン顔料であるか、
式（XXVIII）：
【化２３】
2004533504.tif 000024
〔式中、Ｒ41は、水素原子、メチル若しくはエチルのようなＣ1〜4アルキル基、トリフルオロメチルのようなペルフルオロ−Ｃ1〜4アルキル基、ヒドロキシ−Ｃ1〜4アルキル基、ＣＨ2ＣＨ2ＣＨ2−Ｏ−ＣＨ（ＣＨ3）2のような−Ｏ−で１回以上中断されているＣ1〜8アルキル基、フェニルのようなＣ6〜12アリール基、又はベンジルのようなＣ7〜12アラルキル基であり、
Ｒ42は、水素原子又はシアノ若しくはカルボンアミド基であり、
Ｒ43は、水素原子、カルボン酸基若しくはその塩、又はＣ1〜4アルキル基であり、
Ｒ44及びＲ45は、メチル若しくはエチルのようなＣ1〜4アルキル基、トリフルオロメチルのようなペルフルオロ−Ｃ1〜4アルキル基、メトキシ若しくはエトキシのようなＣ1〜4アルコキシ基、ニトロ基、塩素のようなハロゲン原子、ＣＯＯＲ46（ここでＲ46は、Ｃ1〜4アルキル基、フェニル若しくは１，４−ジクロロフェニルのような、非置換であるか、例えば１若しくは２個の塩素原子で置換されているＣ6〜12アルキル基、ベンジルのようなＣ7〜11アラルキル基である）、ＣＯＮＨＲ47（ここで、Ｒ47は、Ｃ1〜4アルキル基、フェニルのようなＣ6〜12アリール基、又はベンジルのようなＣ7〜11アラルキル基である）を示し、そしてｍは、１〜２の値を示す〕で示されるアゾ顔料であるか、
式（XXIX）：
【化２４】
2004533504.tif 000025
〔式中、Ｘ9、Ｘ10、Ｘ11及びＸ12は、ＣＮ、ＣＯＮＨ−Ｃ1〜8アルキル又はＣＯＮＨ−Ｃ6〜12アリールであるか、あるいはＸ9とＸ10及び／又はＸ11とＸ12は、それぞれ下記式：
【化２５】
2004533504.tif 000026
（式中、Ｘ13は、水素原子又はＣ6〜12アリール基である）のような複素環の員であり、そしてｍは、１〜４の値を示す〕で示されるイソインドリン顔料であるか、
式（XXX）：
【化２６】
2004533504.tif 000027
（式中、Ｘ14は、芳香族又は複素環式芳香族ジアミンであり、Ｘ15及びＸ16は、水素原子、Ｃ1〜4アルキル基、Ｃ1〜4アルコキシ基、ニトロ基又は塩素原子であり、そしてｍは、１〜３の値を示す）で示されるイソインドリン顔料である、
（ここで、Ｂ及びＣａｔは請求項１と同義である）
請求項１記載の着色剤。
【請求項３】
多孔質材料の着色、特に、多孔の木材又は陽極酸化アルミニウムの着色用の、及びインクジェットプリント用の、請求項１又は２のいずれか１項記載の一般式（Ｉ）又は（II）の着色剤の使用。
【請求項４】
多孔質材料を着色する方法、特に多孔の木材又は陽極酸化アルミニウムを着色する方法であって、
ａ）基材を請求項１又は２記載の一般式（Ｉ）又は（II）の着色剤の水溶液で処理することと、
ｂ）式（Ｉ′）又は（II′）：
【化３８】
2004533504.tif 000028
（式中、Ａ及びＡ′、Ｂ及びＢ′、ｍ及びｍ′、ｎ及びｎ′は、請求項１と同義である）の顔料を着色剤に変換すること、を含む方法。
【請求項５】
請求項４記載の方法により得られる多孔質材料。
【請求項６】
一般式（Ｉ′）又は（II′）：
【化３９】
2004533504.tif 000029
（式中、Ａ、Ｂ及びＢ′、ｍ及びｍ′、ｎ及びｎ′は、請求項１と同義である）の顔料を含む、多孔質材料。
【請求項７】
金属酸化皮覆で被覆された板状のアルミニウム基材を含む着色アルミニウム顔料であり、金属酸化皮膜が、一般式（Ｉ′）又は（II′）：
【化４０】
2004533504.tif 000030
（式中、Ａ、Ｂ及びＢ′、ｍ及びｍ′、ｎ及びｎ′は、請求項１と同義である）の顔料を含み、金属皮膜の金属が、バナジウム、チタン、ジルコニウム、ケイ素、アルミニウム及びホウ素から選択される、着色アルミニウム顔料。